【手続補正書】
【提出日】平成23年3月10日(2011.3.10)
【手続補正１】
【補正対象書類名】特許請求の範囲
【補正対象項目名】全文
【補正方法】変更
【補正の内容】
【特許請求の範囲】
【請求項１】
検索項目軸及び検索結果表示軸に基づいて２次元的に構成された基本フレームを生成する基本フレーム生成部と、
上記基本フレームの上記検索項目軸及び上記検索結果表示軸に沿って、検索結果のタイトルを記載した複数の検索結果カードが立体配置された３次元検索結果一覧表画像を生成する３次元検索結果一覧表画像生成部と、
上記３次元検索結果一覧表画像を所定の表示角度で所定の表示部へ出力して表示させる制御部と
を具える情報処理装置。
【請求項２】
上記情報処理装置は、
上記検索項目軸に沿って、複数の検索項目をそれぞれ示す絵柄でなる複数の検索項目マークが２次元的に配置された検索項目マーク画像を生成する検索項目マーク画像生成部と
を具え、
上記制御部は、上記検索項目マーク画像に対して上記３次元検索結果一覧表画像を重ねた状態で上記表示部へ出力する
請求項１に記載の情報処理装置。
【請求項３】
上記制御部は、上記複数の検索結果カードのうち、現在フォーカスされている選択中の選択検索結果カードに対して他の未選択検索結果カードよりも上方へ飛び出すような表示効果を与える
請求項２に記載の情報処理装置。
【請求項４】
上記制御部は、上記表示効果として、上記選択検索結果カードに対して上方へ飛び出すことに加えて、その表示サイズを拡大する
請求項３に記載の情報処理装置。
【請求項５】
上記制御部は、上記選択検索結果カードを上記他の未選択検索結果カードへ切り換えるための入力操作が行われたことを認識したとき、上記複数の検索結果カードを移動させると共に、次に切り換えられた上記選択検索結果カードに対して上記表示効果を与えるような動きを伴うアニメーション表示を行う
請求項４に記載の情報処理装置。
【請求項６】
検索項目軸及び検索結果表示軸に基づいて２次元的に構成された基本フレームを基本フレーム生成部によって生成する基本フレーム生成ステップと、
上記基本フレームの上記検索項目軸及び上記検索結果表示軸に沿いながら、３次元検索結果一覧表画像生成部によって検索結果のタイトルを記載した複数の検索結果カードが立体配置された３次元検索結果一覧表画像を生成する３次元検索結果一覧表画像生成ステップと、
上記３次元検索結果一覧表画像を制御部によって所定の表示角度で所定の表示部へ出力することにより当該３次元検索結果一覧表画像を表示させる表示制御ステップと
を有する検索結果表示方法。
【請求項７】
検索項目軸及び検索結果表示軸に基づいて２次元的に構成された基本フレームを生成する基本フレーム生成ステップと、
上記基本フレームの上記検索項目軸及び上記検索結果表示軸に沿いながら、検索結果のタイトルを記載した複数の検索結果カードが立体配置された３次元検索結果一覧表画像を生成し、これを所定の表示角度で所定の表示部へ出力することにより当該３次元検索結果一覧表画像を表示させる３次元検索結果一覧表画像生成ステップと
を有するグラフィカルユーザインタフェース。
【手続補正２】
【補正対象書類名】明細書
【補正対象項目名】発明の名称
【補正方法】変更
【補正の内容】
【発明の名称】情報処理装置、検索結果表示方法及びグラフィカルユーザインタフェース
【手続補正３】
【補正対象書類名】明細書
【補正対象項目名】０００１
【補正方法】変更
【補正の内容】
【０００１】
本発明は、情報処理装置、検索結果表示方法及びグラフィカルユーザインタフェースに関し、例えばカーナビゲーション装置に適用して好適なものである。
【手続補正４】
【補正対象書類名】明細書
【補正対象項目名】０００６
【補正方法】変更
【補正の内容】
【０００６】
本発明は以上の点を考慮してなされたもので、誰に対しても直感的に理解し易く、操作性の高い検索結果を表示し得る情報処理装置、検索結果表示方法及びグラフィカルユーザインタフェースを提案しようとするものである。
【手続補正５】
【補正対象書類名】明細書
【補正対象項目名】０００７
【補正方法】変更
【補正の内容】
【０００７】
かかる課題を解決するため本発明の情報処理装置及び検索結果表示方法においては、検索項目軸及び検索結果表示軸に基づいて２次元的に構成された基本フレームを生成し、基本フレームの検索項目軸及び検索結果表示軸に沿いながら、検索結果のタイトルを記載した複数の検索結果カードが立体配置された３次元検索結果一覧表画像を生成し、３次元検索結果一覧表画像を所定の表示角度で所定の表示部へ出力することにより当該３次元検索結果一覧表画像を表示させるようにする。
【手続補正６】
【補正対象書類名】明細書
【補正対象項目名】０００８
【補正方法】変更
【補正の内容】
【０００８】
これにより、基本フレームの検索項目軸及び検索結果表示軸に沿いながら、検索結果のタイトルを記載した複数の検索結果カードが立体配置された情報量の多い３次元検索結果一覧表画像を所定の表示角度で提示することができるので、ユーザに対して全ての検索結果カードのタイトルを目視確認させながら、ユーザに対して直感的に理解し易く操作性の高い検索結果を提供することができる。
【手続補正７】
【補正対象書類名】明細書
【補正対象項目名】０００９
【補正方法】変更
【補正の内容】
【０００９】
また本発明においては、検索項目軸及び検索結果表示軸に基づいて２次元的に構成された基本フレームを生成し、基本フレームの検索項目軸及び検索結果表示軸に沿いながら、検索結果のタイトルを記載した複数の検索結果カードが立体配置された３次元検索結果一覧表画像を生成し、これを所定の表示角度で所定の表示部へ出力することにより当該３次元検索結果一覧表画像を表示させるようにする。
【手続補正８】
【補正対象書類名】明細書
【補正対象項目名】００１０
【補正方法】変更
【補正の内容】
【００１０】
これにより、基本フレームの検索項目軸及び検索結果表示軸に沿いながら、検索結果のタイトルを記載した複数の検索結果カードが立体配置された情報量の多い３次元検索結果一覧表画像を所定の表示角度で提示することができるので、ユーザに対して全ての検索結果カードのタイトルを目視確認させながら、ユーザに対して直感的に理解し易く操作性の高い検索結果を提供することができる。
【手続補正９】
【補正対象書類名】明細書
【補正対象項目名】００１１
【補正方法】変更
【補正の内容】
【００１１】
本発明によれば、基本フレームの検索項目軸及び検索結果表示軸に沿いながら、検索結果のタイトルを記載した複数の検索結果カードが立体配置された情報量の多い３次元検索結果一覧表画像を提示することにより、ユーザに対して直感的に理解し易く操作性の高い検索結果を所定の表示角度で提示することができるので、ユーザに対して全ての検索結果カードのタイトルを目視確認させながら、ユーザに対して直感的に理解し易く操作性の高い検索結果を提供することができ、かくして誰に対しても直感的に理解し易く、操作性の高い検索結果を表示し得る情報処理装置、検索結果表示方法及びグラフィカルユーザインタフェースを実現することができる。
【手続補正１０】
【補正対象書類名】明細書
【補正対象項目名】０１４７
【補正方法】変更
【補正の内容】
【０１４７】
さらに上述の実施の形態においては、情報処理装置としてのＰＮＤ１を、基本フレーム生成部及び３次元検索結果一覧表画像生成部としてのＣＰＵ２、ＧＰＵ３、制御部としてのＣＰＵ２によって構成するようにした場合について述べたが、本発明はこれに限らず、その他種々の回路構成でなる基本フレーム生成部、３次元検索結果一覧表画像生成部及び制御部によって情報処理装置を構成するようにしても良い。
【手続補正１１】
【補正対象書類名】明細書
【補正対象項目名】０１４８
【補正方法】変更
【補正の内容】
【０１４８】
本発明の情報処理装置、検索結果表示方法及びグラフィカルユーザインタフェースは、例えばＰＮＤ以外にも、カーナビゲーション装置、ナビゲーション機能を搭載したパーソナルコンピュータ、ＰＤＡ(Personal Digital Assistant)、ゲーム機及び携帯電話機等のその他種々の電子機器に適用することができる。